(57)【要約】【課題】この発明は、重ね取りを生じた全ての紙葉類を確実に特定でき、処理の信頼性を高めることができる紙葉類処理装置、および紙葉類処理方法を提供することを課題とする。【解決手段】銀行券処理装置は、ヘッダカードで仕切った複数枚の銀行券を投入する投入部、投入された被処理媒体を取り出す取出部、および取り出された被処理媒体を検査する検査部を有する。ヘッダカードと銀行券の重送を検知したとき、装置を停止して当該重送券の画像を表示する。オペレータは、この表示された画像を見て排除集積部から回収した重送券の入り繰りを修正する。【選択図】図７
2007280118.tif 000002
【特許請求の範囲】
【請求項１】
複数枚の紙葉類とこれら複数枚の紙葉類を処理単位毎に仕切るための仕切カードとを重ねた複数枚の被処理媒体を投入する投入部と、
この投入部を介して投入された複数枚の被処理媒体をその集積方向端部のものから順に１枚ずつ取り出す取出部と、
この取出部にて取り出された被処理媒体の重ね取りの有無を検出するとともに、当該被処理媒体の両面の画像を検出し、当該被処理媒体を検査する検査部と、
この検査部で検出した画像を表示する表示部と、
上記取出部にて取り出された被処理媒体のうち上記検査部における検査結果に基づいて重ね取りがなく再使用可能であることが判断された紙葉類を集積する集積部と、
上記取出部にて取り出された被処理媒体のうち、上記検査部における検査結果に基づいて正規の紙葉類ではないことが判断された被処理媒体、上記検査部における検査結果に基づいて重ね取りされていることが判断された被処理媒体、および上記検査部で仕切カードであることが判断された被処理媒体をその取り出し順に集積する排除部と、
上記検査部で上記仕切カードを含む被処理媒体の重ね取りを検出したとき、この重ね取りした被処理媒体の両面の画像を上記表示部を介して表示する制御部と、
を有することを特徴とする紙葉類処理装置。
【請求項２】
上記制御部は、上記検査部で上記仕切カードを含む被処理媒体の重ね取りを検出したとき、装置を停止することを特徴とする請求項１に記載の紙葉類処理装置。
【請求項３】
上記検査部で検出した画像を記憶する記憶部をさらに有し、
この記憶部で記憶している画像を上記表示部を介して切り換え表示可能としたことを特徴とする請求項１または請求項２に記載の紙葉類処理装置。
【請求項４】
上記記憶部は、上記検査部で検出した画像のうち、上記排除部へ集積した被処理媒体の画像だけを記憶することを特徴とする請求項３に記載の紙葉類処理装置。
【請求項５】
複数枚の紙葉類とこれら複数枚の紙葉類を処理単位毎に仕切るための仕切カードとを重ねた被処理媒体をその集積方向端部のものから順に１枚ずつ取り出す取り出し工程と、
この取り出し工程で取り出された被処理媒体の重ね取りの有無を検出するとともに、当該被処理媒体の両面の画像を検出し、当該被処理媒体を検査する検査工程と、
この検査工程で検出した画像を表示部を介して表示する表示工程と、
上記検査工程における検査の結果、重ね取りがなく再使用可能であることが判断された紙葉類を集積部へ集積する工程と、
上記検査工程における検査の結果、正規の紙葉類ではないことが判断された被処理媒体、重ね取りされていることが判断された被処理媒体、および仕切カードであることが判断された被処理媒体をその取り出し順に排除部へ集積する工程と、
上記検査工程で上記仕切カードを含む被処理媒体の重ね取りを検出したとき、この重ね取りした被処理媒体の両面の画像を上記表示部を介して表示する工程と、
を有することを特徴とする紙葉類処理方法。
【請求項６】
上記検査工程で上記仕切カードを含む被処理媒体の重ね取りを検出したとき、装置を停止する工程をさらに有することを特徴とする請求項５に記載の紙葉類処理方法。
【請求項７】
上記検査工程で検出した画像を記憶する記憶工程をさらに有し、
この記憶工程で記憶した画像を上記表示部を介して切り換え表示可能としたことを特徴とする請求項５または請求項６に記載の紙葉類処理方法。
【請求項８】
上記記憶工程では、上記検査工程で検出した画像のうち、上記排除部へ集積した被処理媒体の画像だけを記憶することを特徴とする請求項７に記載の紙葉類処理方法。
【発明の詳細な説明】
【技術分野】
【０００１】
この発明は、仕切カードによって処理単位毎に仕切った複数枚の紙葉類を１枚ずつ取り出して検査し、再使用可能な紙葉類をスタッカーに集積する紙葉類処理装置、および紙葉類処理方法に関する。
【背景技術】
【０００２】
従来、紙葉類処理装置として、複数枚の紙葉類を処理単位毎に仕切カードで仕切った被処理媒体を１枚ずつ取り出して処理する装置が知られている（例えば、特許文献１参照。）。この装置では、例えば、各銀行から集めた銀行券をヘッダカードで仕切って集積し、銀行券を１枚ずつ取り出して検査して計数し、再使用可能な銀行券を集積して施封する。この際、銀行券と一緒に取り出されるヘッダカードは、正規の銀行券ではないことが判断された偽券とともに排除集積部へ集積される。
【０００３】
ヘッダカードと銀行券が重なった状態で取り出されてしまった場合、これら重なった状態の媒体は排除集積部へ集積されることになるが、排除集積部へ指向した媒体をその取り出し順に集積するタイプの装置では、ヘッダカードに重なった銀行券の処理単位に入り繰りを生じてしまう。このため、この公報に開示された装置では、ヘッダカードの両面に付与したバーコードを検出して、片面のバーコードしか検出できないときに銀行券との重ね取りを判断して装置を停止し、これら重ね取りした媒体をオペレータの手作業に委ねるようにしている。
【０００４】
しかし、この方法を採用した場合、ヘッダカードの両面に銀行券が重なった状態で取り出されてしまうと、ヘッダカードの両面に付与されたバーコードを両方とも検出できなくなり、ヘッダカードを見失ってしまうことになる。結果として、このように重なった状態で取り出された被処理媒体が排除集積部へ集積されると、ヘッダカードに重なった銀行券がどの銀行から集めた銀行券であるかが分からなくなってしまう。
【特許文献１】特開２００２−３３４３６２号公報（段落［００４２］）
【発明の開示】
【発明が解決しようとする課題】
【０００５】
この発明の目的は、重ね取りを生じた全ての紙葉類を確実に特定でき、処理の信頼性を高めることができる紙葉類処理装置、および紙葉類処理方法を提供することにある。
【課題を解決するための手段】
【０００６】
上記目的を達成するため、本発明の紙葉類処理装置は、複数枚の紙葉類とこれら複数枚の紙葉類を処理単位毎に仕切るための仕切カードとを重ねた複数枚の被処理媒体を投入する投入部と、この投入部を介して投入された複数枚の被処理媒体をその集積方向端部のものから順に１枚ずつ取り出す取出部と、この取出部にて取り出された被処理媒体の重ね取りの有無を検出するとともに、当該被処理媒体の両面の画像を検出し、当該被処理媒体を検査する検査部と、この検査部で検出した画像を表示する表示部と、上記取出部にて取り出された被処理媒体のうち上記検査部における検査結果に基づいて重ね取りがなく再使用可能であることが判断された紙葉類を集積する集積部と、上記取出部にて取り出された被処理媒体のうち、上記検査部における検査結果に基づいて正規の紙葉類ではないことが判断された被処理媒体、上記検査部における検査結果に基づいて重ね取りされていることが判断された被処理媒体、および上記検査部で仕切カードであることが判断された被処理媒体をその取り出し順に集積する排除部と、上記検査部で上記仕切カードを含む被処理媒体の重ね取りを検出したとき、この重ね取りした被処理媒体の両面の画像を上記表示部を介して表示する制御部と、を有する。
【０００７】
また、本発明の紙葉類処理方法は、複数枚の紙葉類とこれら複数枚の紙葉類を処理単位毎に仕切るための仕切カードとを重ねた被処理媒体をその集積方向端部のものから順に１枚ずつ取り出す取り出し工程と、この取り出し工程で取り出された被処理媒体の重ね取りの有無を検出するとともに、当該被処理媒体の両面の画像を検出し、当該被処理媒体を検査する検査工程と、この検査工程で検出した画像を表示部を介して表示する表示工程と、上記検査工程における検査の結果、重ね取りがなく再使用可能であることが判断された紙葉類を集積部へ集積する工程と、上記検査工程における検査の結果、正規の紙葉類ではないことが判断された被処理媒体、重ね取りされていることが判断された被処理媒体、および仕切カードであることが判断された被処理媒体をその取り出し順に排除部へ集積する工程と、上記検査工程で上記仕切カードを含む被処理媒体の重ね取りを検出したとき、この重ね取りした被処理媒体の両面の画像を上記表示部を介して表示する工程と、を有する。
【０００８】
上記発明によると、仕切カードを含む被処理媒体の重ね取りを検出したとき、この重ね取りを検出した被処理媒体の両面の画像を表示するようにしたため、例えば、仕切カードの両面に紙葉類が重なった状態で取り出された場合であっても、重ね方向両端の紙葉類の模様や番号などから当該重ね取りされた複数枚の紙葉類を容易且つ確実に特定でき、仕切カードを見失うことも無く、紙葉類の処理単位間で入り繰りを生じることも無く、処理の信頼性を高めることができる。
【発明の効果】
【０００９】
この発明の紙葉類処理装置は、上記のような構成および作用を有しているので、重ね取りを生じた全ての紙葉類を確実に特定でき、処理の信頼性を高めることができる。
【発明を実施するための最良の形態】
【００１０】
以下、図面を参照しながらこの発明の実施の形態について詳細に説明する。  
図１には、この発明の実施の形態に係る紙葉類処理装置として、例えば、複数の銀行から送られた銀行券（紙葉類）を検査して再使用のため結束する銀行券処理装置１（以下、単に処理装置１と称する）の概観斜視図を示してある。また、図２は、この処理装置１の内部構成を示す概略図である。
【００１１】
処理装置１は、後述するヘッダカードＣ（仕切カード）を間に挟んだ集積状態の複数枚の銀行券を投入する投入部２を有する。ヘッダカードＣの表面および裏面には、そのカードに固有の機械読み可能な識別記号としてバーコードがそれぞれ印刷されている。尚、ヘッダカードＣの厚さは、銀行券と略同じ厚さに設定されている。
【００１２】
処理装置１に銀行券を投入する前段の処理として、１処理単位（以下、バッチと称する）、例えば銀行の各支店から送られた１まとまりの同一金種の集積状態の銀行券の上に１枚のヘッダカードＣを集積し、その上に次のバッチの銀行券およびヘッダカードＣを集積し、１回に投入可能なバッチ数の銀行券およびヘッダカードＣを同様にして集積する。各バッチの銀行券の枚数は同じとは限らない。
【００１３】
このとき、例えば、図３に示すように、各バッチ毎に挿入したヘッダカードＣのバーコードに関連付けて、オペレータによって、各バッチの銀行券に関するデータとして、銀行名、支店名、銀行券の金種、枚数等が入力される。このようにして前処理時に入力されたバッチデータは、後段の処理装置１による計数結果との照合に用いられる。
【００１４】
投入部２の上端には、投入部２に投入された銀行券或いはヘッダカードＣ（以下、総称して被処理媒体とする場合もある）をその集積方向上端のものから１枚ずつ搬送路４上に取り出す取出部３が設けられている。取出部３は、最上端の被処理媒体に転接して負圧を生じつつ回転する吸着ローラ３ａを有する。吸着ローラ３ａは、例えば１回転する毎に１枚の被処理媒体を取り出すように機能し、被処理媒体を一定のピッチで取り出すように動作する。
【００１５】
取出部３の下流側には、吸着ローラ３ａによって吸着されて取り出された被処理媒体を処理装置１内を通して搬送する搬送路４が延設されている。搬送路４上には、図示しない搬送ベルトや駆動プーリが配設され、図示しない駆動モータによって搬送ベルトを走行させることにより被処理媒体を搬送路４を介して一定速度で搬送させるようになっている。
【００１６】
取出部３から延びた搬送路４上には、搬送路４を介して搬送されている被処理媒体の特徴を検出して被処理媒体の種類、汚棄損、表裏、真偽などを検査する検査部５が設けられている。検査部５は、搬送路４の両側に配設された、被処理媒体の両面の画像を読み取るための２つの画像読取装置６ａ、６ｂを有する。各画像読取装置６ａ、６ｂは、例えば、ＣＣＤカメラを有し、撮影した画像から、銀行券の表面の模様やヘッダカードＣに印刷されたバーコードを読み取り、被処理媒体の寸法や搬送ピッチを検出する。
【００１７】
また、検査部５は、搬送路４を介して搬送されている被処理媒体の厚みを検査する厚み検査部７を有する。厚み検査部７は、基本的に銀行券の２枚取りを検出するが、銀行券とヘッダカードＣの重ね取りをも検出することができる。特に、この厚み検査部７では、銀行券同士またはヘッダカードＣと銀行券が何枚重なっているかを検出できる。少なくとも、銀行券１枚、２枚、３枚以上の３種類の重なり方を区別できる。この他に、検査部５は、銀行券の枚数を計数する図示しない計数装置、画像読取装置６ａ、６ｂで読み取った画像を記憶する図示しないメモリ（記憶部）などを備えている。
【００１８】
検査部５の下流側の搬送路４上には、６つのゲートＧ1〜Ｇ6が順次配設されている。各ゲートＧ1〜Ｇ6は、検査部５における検出結果に基づいて図示しない制御部による制御に従って切り換えられ、当該被処理媒体を所定の処理部へ指向する。
【００１９】
検査部５の直後に配設されたゲートＧ1は、搬送路４を排除搬送路４ａに分岐する位置に設けられ、検査部５を介して正規の銀行券ではないことが検出された排除券、検査部５において検査できなかった検査不能券、およびヘッダカードＣを排除搬送路４ａへ分岐するように切り換えられる。排除搬送路４ａの終端には、取出部３にて取り出した姿勢のまま、すなわち表裏を反転しないで（実際には３６０°回転させて）、排除券、検査不能券、およびヘッダカードＣをその取り出し順序を変えずに集積する排除集積部８（排除部）が設けられている。例えば、投入部２に表面を上にして投入されて取り出されたヘッダカードＣは、表面を上にして排除集積部８に集積される。排除集積部８には、この他に、銀行券を重ね取りした検査不能券、銀行券とヘッダカードＣを重ね取りした検査不能券、正規の銀行券ではないことが判定された偽券などが集積される。
【００２０】
また、ゲートＧ1の下流側の搬送路４に沿って設けられたゲートＧ2〜Ｇ5によって分岐された位置には、それぞれ第１乃至第４の集積・結束部９ａ〜９ｄ（集積部）（以下、総称して集積・結束部９とする場合もある）が配設されている。集積・結束部９には、ゲートＧ1を介して導かれた排除券以外の正規の銀行券のうち再使用可能な正券だけが集積されて結束される。
【００２１】
例えば、第１および第２の集積・結束部９ａ、９ｂには、表面を上にした正券が１００枚ずつ集積されて結束され、第３および第４の集積・結束部９ｃ、９ｄには、裏面を上にした正券が１００枚ずつ集積されて結束される。具体的には、集積・結束部９ａに正券を１００枚集積した後、この１００枚の正券を結束しているときに、もう一方の集積・結束部９ｂに次の１００枚の正券を集積する。このようにして集積・結束部９で結束された正券は、図示しないコンベア等によって機外へ排出されて再使用に供される。
【００２２】
最も下流側に配設されたゲートＧ6によって搬送路４から分岐された位置には、ゲートＧ1を介して導かれた排除券以外の銀行券のうち、集積・結束部９へ集積されなかった損券、すなわち正規の銀行券ではあるが汚棄損等の理由によって再使用不可能と判断された銀行券を裁断して失効させた後収納する裁断部１０が配設されている。処理装置１において、損券裁断モードが選択されていないときには、損券は、裁断部１０へは搬送されずに損券集積用のスタッカーに集積される。
【００２３】
図４には、上述した処理装置１をオペレータが操作するインターフェース部近傍を部分的に拡大して示してある。この部位には、オペレータによる各種操作入力を受け付けるとともにオペレータに対して各種操作案内を表示する操作・表示パネル１１（表示部）が設けられている。操作・表示パネル１１は、表示したボタンにオペレータが触れることで当該ボタンの入力を検知するタッチパネルにより構成されている。この他に、操作・表示パネル１１の近傍には、上述した投入部２を開閉する取っ手１２ａを有するドア１２、排除集積部８に集積された被処理媒体を取り出すための取り出し口１３、オペレータが操作するテンキー１４などが設けられている。
【００２４】
次に、上記のように構成された処理装置１による動作について、図５に示すフローチャートを参照して説明する。
【００２５】
まず、オペレータの手作業によってバッチ毎にヘッダカードＣが挿入された１まとめの被処理媒体が投入部２を介して処理装置１へ投入される（ステップ１）。このとき、オペレータは、ドア１２を開けて被処理媒体を投入部２へセットする。この後、取出部３の吸着ローラ３ａが作動されて、被処理媒体が最上端のものから順に１枚ずつ搬送路４上に取り出される（ステップ２）。搬送路４上に取り出された被処理媒体は、検査部５の画像読取装置６ａ、６ｂを順次通過され、両面の画像が順次読み取られる（ステップ３）。
【００２６】
このとき、例えば、取出部３の吸着ローラ３ａによって複数枚の被処理媒体が重なった状態で取り出されている場合、集積方向両端にある被処理媒体の表面の画像がそれぞれ画像読取装置６ａ、６ｂを介して読み取られる。例えば、ヘッダカードＣを２枚の銀行券が挟んだ状態で取り出された場合には、ヘッダカードＣの両側にある銀行券の画像がそれぞれ読み取られる。当然のことながら、銀行券が１枚だけ正常に取り出されている場合には、当該銀行券の表裏の画像がそれぞれ読み取られることになる。
【００２７】
このようにして読み取られた画像は、上述した検査部５の図示しないメモリに一旦記憶され、必要に応じて操作・表示パネル１１を介してオペレータに対して表示される。本実施の形態では、取出部３で取り出された被処理媒体のうち、排除集積部８へ集積される被処理媒体の画像のみをメモリに記憶するようにした。なお、メモリに記憶した画像は、上述した操作・表示パネル１１を介して切り換え表示可能となっている。
【００２８】
ステップ３の読取結果に基づいて、当該被処理媒体が正規の銀行券であることが判断されると（ステップ４；ＹＥＳ）、ゲートＧ1が集積・結束部９に向かう搬送路４の方向に切換えられる。そして、当該銀行券が再使用可能な正券であることを条件に（ステップ５；ＹＥＳ）、ゲートＧ2〜Ｇ5のうちいずれか１つが集積・結束部９方向に切換えられ、ゲートＧ1を介して導かれた当該正券がいずれかの集積・結束部９に集積される。
【００２９】
本実施の形態では、一方の画像読取装置６ａで表の模様が検出された正券、すなわち表面を上にした状態で搬送された正券を第１および第２の集積・結束部９ａ、９ｂのいずれか一方に集積し、他方の画像読取装置６ｂで表の模様が検出された正券、すなわち裏面を上にした状態で搬送された正券を第３および第４の集積・結束部９ｃ、９ｄのいずれか一方に集積するようにした。これにより、正券の表裏を取り揃えるようにした。例えば、第１の集積・結束部９ａに表面が上の正券を集積していき、第１の集積・結束部９ａの正券が１００枚に達した時点で、１００枚の正券を結束するとともに、第２の集積・結束部９ｂに対する正券の集積を開始し、２つの集積・結束部に１００枚ずつ交互に集積して結束するようにした（ステップ６）。
【００３０】
一方、ステップ５で、ゲートＧ1を通過した当該銀行券が再使用不能な損券であることが判断されると（ステップ５；ＮＯ）、ゲートＧ6が切換えられて搬送中の当該損券が裁断部１０へ導かれ、当該損券が裁断されて失効される（ステップ７）。尚、ステップ６で集積・結束した正券の枚数、およびステップ７で裁断して失効した損券の枚数は、検出部５の計数装置で計数されて、図示しない制御部で集計されて、前処理時にオペレータによって入力された図３のバッチデータに関連付けて登録される。
【００３１】
また、ステップ４で、当該被処理媒体が正規の銀行券ではないことが判断されると（ステップ４；ＮＯ）、ゲートＧ1が切換えられて搬送路４が排除搬送路４ａに接続され（ステップ８）、当該被処理媒体が排除集積部８へ排除集積される（ステップ９）。このとき、排除集積部８へ指向される被処理媒体として、銀行券を偽造した偽券、複数枚の被処理媒体が重なった状態で取り出された重送券、ヘッダカードＣなどがある。
【００３２】
以上のように、上述した処理装置１は、各銀行から回収した銀行券を、検査して、「正券」を再び利用に供するために返却し、「損券」を廃棄処分し、また、「偽券」の混入や検査した銀行券の枚数の過不足を調査する。このため、この処理装置１では、「偽券」の混入、数量の過不足が発生した場合、どの銀行から回収した銀行券に、これらが含まれていたかを正確に知らなくてはならない。すなわち、排除集積部８へ排除集積された全ての被処理媒体は、どの処理単位に含まれていたものであるかを確実に識別できなくてはならない。
【００３３】
ところで、この処理装置１は、高速な処理を実現するため、一般的に１回に１０００枚以上の銀行券を投入部２に投入して処理するようにしている。例えば、１０００枚の銀行券を投入部２に投入する場合、オペレータは、１０把の銀行券を用意して各把の銀行券の帯を外し、外した１０枚の帯を保管する。ここで言う「把」とは、銀行券を１００枚重ねて帯封をしたもので、その帯上には、回収機関名、処理者のサイン等が付与されている。なお、この把を１０個施封したものを「束」と呼ぶ。
【００３４】
次に、オペレータは、帯を外した１０００枚の銀行券を投入部２に投入し、操作・表示パネル１１を介して取出開始を指示する。これにより、１０００枚の銀行券が１枚ずつ取り出されて検査され、所定の区分先へ区分される。このとき、投入した全ての銀行券が正券または損券の何れかである場合を除き、排除集積部８に「排除券」が集積される。この場合、「排除券」は、正規の銀行券ではない偽券や重なって取り出された重送券などである。
【００３５】
オペレータは、このようにして排除された排除券を目視或いは手で触れることで、偽券であるか否かを判定し、排除集積部８に集積された銀行券のうち偽券を除いた銀行券の枚数を確認し、その枚数を操作・表示パネル１１を介して入力する。排除券がなかった場合は、０枚を入力する。入力した枚数は、操作・表示パネル１１を介して表示され、オペレータが照合(VERIFY)ボタンを入力することで、正券・損券枚数との合計枚数が投入枚数（１０００枚）と一致した場合には、操作継続できるが、不一致の場合、その旨が表示され、監督者による確認が必要になると同時にまた、その記録がレポートに残る。偽券混入、または過不足が発生した場合、このように記録に残るとともに、このとき供給した銀行券の帯により、当該銀行券を回収した銀行の支店名などを帯の情報から知ることが可能である。
【００３６】
上記の例では１０００枚が同じ銀行の支店から回収した銀行券である場合を示したが、銀行の支店名だけでなく、当該銀行券を処理したオペレータまで問題にする場合には、その最小単位は、「把」となる。この場合、オペレータは１把の銀行券の帯をはずし、保管し、１００枚の券を投入部２に投入し、排除券の偽券・枚数を確認、枚数入力を繰り返さなくてはならず、極めて効率が悪くなる。
【００３７】
よって、このような場合には、上述したヘッダカードＣが使われる。  
例えば、オペレータは、１把の銀行券の帯を外し、この上にヘッダカードＣを置く。同様に次の１把の帯を外し、別のヘッダカードＣを置く。以下、同様に計１０把の帯を外し、ヘッダカードＣを置く。外した帯には後でヘッダカードＣと対応できるよう、番号などを手書きするなどの処置を施しておく。こうしてできた１０００枚の銀行券とヘッダカード１０枚を、投入部２に投入する。
【００３８】
この場合、１０００枚の銀行券を検査した後、排除集積部８には、ヘッダカードＣと排除券（偽券や重送券）が集積される。各把の排除券はヘッダカードＣの間に挟まれることになり、偽券・過不足が発生した場合、把毎の区分が可能である。排除券枚数の入力と照合作業はその場では行わず、後で行う。つまり、予定の処理枚数を処理した後、オペレータは、排除集積部８から排除券とヘッダカードＣを取り出し、処理装置１が計数して排除集積部８以外に振り分けた銀行券の枚数とオペレータの手元に残る排除券の枚数の照合作業を行なう。なお、ヘッダカードＣは、銀行券に対して十分に判別しやすいパターン（例えば、上述したバーコード）を有しており、検査部５において銀行券として間違ってカウントされることはない。
【００３９】
しかし、ヘッダカードＣを用いた場合、上述した照合作業において入り繰りの問題を生じる場合がある。  
例えば、図６（ａ）に示すように、処理単位ｎの集積方向最下端の銀行券ｘと別の処理単位ｍの最上端の銀行券ｙがヘッダカードＣによって仕切られている被処理媒体を投入部２を介して投入した場合、順番通り最上端の被処理媒体から１枚ずつ取り出されて表裏反転することなくスタッカーに集積された場合には、図６（ｂ）に示すように処理単位ｎの銀行券ｘと別の処理単位ｍの銀行券ｙとの間に入り繰りを生じることはない。
【００４０】
しかし、例えば、ヘッダカードＣと処理単位ｎの最下端の銀行券ｘが重なった状態で取り出されてしまうと、図６（ｃ）に示すように、２つの処理単位ｎ、ｍ間で銀行券の入り繰りを生じてしまう。この場合、具体的には、先に集積した銀行券ｘの上に重送したヘッダカードＣと銀行券ｘがそのままの姿勢で集積され、処理単位ｍの銀行券の枚数が１枚多くなり、処理単位ｎの銀行券ｘの枚数が１枚少なくなってしまう。
【００４１】
この現象が排除集積部８で起こると、排除集積された銀行券をオペレータが枚数確認する際に、銀行券ｘが処理単位ｍに属するものとして扱われてしまい、処理単位ｎと処理単位ｍとの間で入り繰りが発生してしまい、係数処理に間違いを生じてしまう可能性がある。この間違いを防止するため、従来の装置では、ヘッダカードＣと銀行券の重送を検出した時点で装置を停止してオペレータの手作業による処理に委ねるようにしているが、重送券が一度排除集積部８へ排除されてしまうと上述したように入り繰りを見分けることができなくなる。
【００４２】
以下、図７に示すフローチャートを参照して、この発明の実施の形態の処理方法について説明する。
【００４３】
まず、処理対象となる複数枚の紙葉類（例えば、銀行券）が区分カード（ヘッダカード）で処理単位毎に仕切られた被処理媒体がオペレータによって投入部２へ投入される（ステップ１）。そして、操作・表示パネル１１を介してオペレータによって取り出し開始指示が入力される（ステップ２）と、処理装置１の制御部は、取出部３を動作して投入された複数枚の紙葉類（区分カードを含む）を１枚ずつ搬送路４上に取り出す（ステップ３）。
【００４４】
搬送路４を介して搬送された紙葉類は、検査部５を通過され、ここで両面の画像が検出されて厚さが検出され、その種類、汚棄損、真偽、重送の有無などが検査される（ステップ４）。このとき、検査部５の画像読取装置６ａ、６ｂで当該紙葉類から読み取った両面の画像がメモリに記憶される（ステップ５）。メモリでは、全ての紙葉類の画像をある一定期間だけ記憶して書き換えるようにしても良いが、本実施の形態では、メモリの容量を考慮して、排除集積部８へ指向される紙葉類、すなわち偽券、重送券、区分カードなどの排除券の画像だけを選択的にメモリに記憶するようにした。
【００４５】
ステップ４の検査結果に基づいて、制御部は、当該紙葉類の厚さが２枚以下であるか否かを判断し（ステップ６）、２枚以下である場合（ステップ６；ＹＥＳ）、当該紙葉類の両面から読み取った画像が両方とも銀行券であるか否かを判断する（ステップ７）。ステップ７で両面とも銀行券であることが判断されると（ステップ７；ＹＥＳ）、当該紙葉類が１枚または２枚重なった銀行券であることが判断され、正規且つ有効な銀行券であるか否かが判断される（ステップ８）。つまり、ステップ８では、重送の有無、種類、真偽、汚棄損などを判断する。
【００４６】
ステップ８で重送が無い１枚の正規の銀行券であることが判断され且つ再使用可能であることが判断された（ステップ８；ＹＥＳ）正券は、集積・結束部９へ指向されて再使用のため集積および結束される（ステップ９）。また、ステップ８で重送が無い正規の銀行券ではあるが汚棄損などにより再使用が不可能であることが判断された（ステップ８；ＹＥＳ）損券は、裁断部１０へ指向されて失効される（ステップ９）。さらに、ステップ８で２枚が重なった状態の銀行券であることが判断された（ステップ８；ＮＯ）重送券は、排除券として排除集積部８へ指向されて排除集積される（ステップ１０）。銀行券が２枚重なった重送券を排除する場合、処理装置１による紙葉類の取り出し動作を停止することはない。
【００４７】
一方、ステップ７で少なくとも１面の画像が銀行券ではないことが判断される（ステップ７；ＮＯ）と、当該紙葉類が、２枚重なった区分カード、或いは区分カードの片面に銀行券が重なった重送券であることが判断され、取出部３が即座に停止されて紙葉類の取り出し動作が停止される（ステップ１１）。なお、ステップ７で少なくとも１面の画像が銀行券ではない場合として、当該紙葉類が１枚の区分カードである場合もあるが、この場合には例外としてその厚さの情報に基づいて１枚の区分カードであることを判断し、紙葉類の取り出し動作を停止することなく処理を続行する。このとき、ステップ７で少なくとも１面の画像が銀行券ではないことが判断された当該紙葉類は排除集積部８へ排除集積される（ステップ１０）。
【００４８】
また、上述したステップ６で当該紙葉類の厚さが３枚以上であることが判断された場合も（ステップ６；ＮＯ）、銀行券の間に区分カードが挟まれている可能性があるため、取出部３が即座に停止されて紙葉類の取り出し動作が中止される（ステップ１１）。この場合、３枚以上であることが判断された当該紙葉類も排除集積部８へ排除集積される（ステップ１０）。
【００４９】
ステップ１１で紙葉類の取り出し動作を停止した後、制御部は、操作・表示パネル１１を介して紙葉類の入り繰りが発生したことを警告表示して処理装置１の動作を停止する（ステップ１２）。そして、この後、制御部は、メモリに記憶している画像を読み出して操作・表示パネル１１を介して切り換え表示し（ステップ１３）、オペレータに対して入り繰りの原因となった可能性のある紙葉類の両面の画像情報を提示可能とする。このとき、操作・表示パネル１１を介して表示するメモリ内の画像は、オペレータの操作によって任意の画像に切り換え可能となっている。
【００５０】
オペレータは、ステップ１２で操作・表示パネル１１を介して表示された案内に基づいて、ドア１２を開けて排除集積部８から全ての紙葉類を回収し（ステップ１４）、ステップ１３で切り換え表示されている紙葉類の両面の画像を参照しながら、入り繰りを修正する（ステップ１５）。
【００５１】
このとき、例えば、２枚の銀行券の間に区分カードが挟まった３枚の重送券が排除集積部８に排除されている場合、区分カードの両側にある各銀行券の画像が２つの画像読取装置６ａ、６ｂでそれぞれ読み取られているため、これら２つの画像に基づいて区分カードの両側に重なっている銀行券をその番号などから確実に特定できる。このため、２枚の銀行券の間に区分カードが挟まっているような場合であっても、３枚の紙葉類を確実に特定でき、区分カードを見失うこともなく、入り繰りを確実に防止でき、処理の信頼性を高めることができる。
【００５２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００５３】
例えば、上述した実施の形態では、検査部５の画像読取装置６ａ、６ｂで読み取った画像のうち排除集積部８へ指向する紙葉類の画像だけをメモリに記憶するようにしたが、これに限らず、メモリの容量が十分である場合には、画像読取装置６ａ、６ｂで読み取った全ての画像を記憶するようにしても良い。
【００５４】
また、上述した実施の形態では、主に入り繰りの原因となった画像を表示してオペレータに情報を提示するようにしたが、オペレータは、メモリに記憶している画像を遡って見ることもでき、排除集積部８にスタックした他の紙葉類の画像情報から入り繰りを生じている媒体を特定することもできる。
【図面の簡単な説明】
【００５５】
【図１】この発明の実施の形態に係る銀行券処理装置を示す外観斜視図。
【図２】図１の処理装置の内部構成を示す概略図。
【図３】前処理時に入力されるバッチデータおよび計数結果を示す図。
【図４】オペレータによる操作がなされるインターフェース部近傍を部分的に拡大して示す部分拡大斜視図。
【図５】図１の処理装置による処理動作を説明するためのフローチャート。
【図６】入り繰りの発生原因について説明するための動作説明図。
【図７】この発明の実施の形態の処理動作を説明するためのフローチャート。
【符号の説明】
【００５６】
１…銀行券処理装置、２…投入部、３…取出部、４…搬送路、５…検査部、６ａ、６ｂ…画像読取装置、７…厚み検査部、８…排除集積部、９…集積・結束部、１０…裁断部、１１…操作・表示パネル、１２…ドア、１３…取り出し口、Ｃ…ヘッダカード。
【図１】
2007280118.tif 000003
【図２】
2007280118.tif 000004
【図３】
2007280118.tif 000005
【図４】
2007280118.tif 000006
【図５】
2007280118.tif 000007
【図６】
2007280118.tif 000008
【図７】
2007280118.tif 000009